(57)【要約】【課題】  特定の給紙手段に対して特殊紙が登録されることによって利便性が低下することを防ぐことができる。【解決手段】    シートを給紙する複数の給紙手段と、いずれかの給紙手段を特定の給紙手段に設定する設定手段と、前記特定の給紙手段に収容するシート種別を指定する指定手段と、前記特定の給紙手段を使用するジョブが要求された場合、前記特定の給紙手段に収容されたシート種別が特定種別のシートであるかどうかを判断する判断手段と、前記特定の給紙手段に収容されたシート種別が特定種別のシートであると判断されることに応じて、前記特定の給紙手段を前記複数の給紙手段のうち、他の給紙手段に変更する制御手段と、を備えることを特徴とする。【選択図】  図６
2014226873.tif 000002
【特許請求の範囲】
【請求項１】
シートを給紙する複数の給紙手段と、
いずれかの給紙手段を特定の給紙手段に設定する設定手段と、
前記特定の給紙手段に収容するシート種別を指定する指定手段と、
前記特定の給紙手段を使用するジョブが要求された場合、前記特定の給紙手段に収容されたシート種別が特定種別のシートであるかどうかを判断する判断手段と、
前記特定の給紙手段に収容されたシート種別が特定種別のシートであると判断されることに応じて、前記特定の給紙手段を前記複数の給紙手段のうち、他の給紙手段に変更する制御手段と、
を備えることを特徴とする印刷装置。
【請求項２】
前記特定の給紙手段に収容するシートの種別に特定のシートを指定できるよう設定されているかどうかを判別する判別手段を備え、
前記特定の給紙手段に収容するシートの種別に特定のシートを指定できるよう設定されていると判別した場合、前記制御手段は、前記特定の給紙手段を前記複数の給紙手段のうち、他の給紙手段に変更しないことを特徴とする請求項１記載の印刷装置。
【請求項３】
前記ジョブの種別に応じて前記特定の給紙手段を自動選択する選択手段を備えることを特徴とする請求項１記載の印刷装置。
【請求項４】
前記特定の給紙手段に収容するシートの種別の設定を制限する制限手段を備える請求項１記載の印刷装置。
【請求項５】
前記選択手段は、収容されたシートを画像形成部に搬送するための搬送路長が短い給紙手段を選択することを特徴とする請求項３記載の印刷装置。
【請求項６】
前記特定の給紙手段に設定すべきシート種別が特定のシートであるかどうかを判定する判定手段を備え、
前記シート種別が特定のシートであると判定されることに応じて、当該設定すべきシート種別を表示して確定の可否を表示部に警告する警告手段を備えることを特徴とする請求項１記載の印刷装置。
【請求項７】
前記特定のシートは、厚紙、フィルムシート、封筒、プレプリントシート、タブシート、半透明シートを含むことを特徴とする請求項１乃至６のいずれか１項に記載の印刷装置。
【請求項８】
前記ジョブは、ユーザが指定したジョブ種であることを特徴とする請求項１記載の印刷装置。
【請求項９】
シートを給紙する複数の給紙手段を備える印刷装置の制御方法であって、
いずれかの給紙手段を特定の給紙手段に設定する設定工程と、
前記特定の給紙手段に収容するシート種別を指定する指定工程と、
前記特定の給紙手段を使用するジョブが要求された場合、前記特定の給紙手段に収容されたシート種別が特定種別のシートであるかどうかを判断する判断工程と、
前記特定の給紙手段に収容されたシート種別が特定種別のシートであると判断されることに応じて、前記特定の給紙手段を前記複数の給紙手段のうち、他の給紙手段に変更する制御工程と、
を備えることを特徴とする印刷装置の制御方法。
【請求項１０】
請求項９に記載の印刷装置の制御方法をコンピュータに実行させることを特徴とするプログラム。
【発明の詳細な説明】
【技術分野】
【０００１】
本発明は、印刷装置、印刷装置の制御方法、及びプログラムに関するものである。
【背景技術】
【０００２】
近年、印刷装置にスキャナ機能を備えて行われるコピー機能においては、スキャナ装置で検知された原稿のサイズに基づいて、自動的に最適なカセットを選択して記録出力する自動用紙機能（ＡＰＳ）が利用されている（例えば、特許文献１参照）。また、原稿サイズを自動的に検知可能な場合であっても操作部からユーザ操作により手動で給紙するカセットを選択することもできるようになっている。
【０００３】
一方、装置のコストを抑える目的や、装置のサイズを小さくする目的などによりスキャナ装置に原稿サイズ検知機能を持たない印刷装置も存在する。このような印刷装置では、ＡＰＳ機能が利用できないため、コピージョブ実行時には必ずユーザが給紙カセットを選択する必要がある。その場合、コピージョブを実行するたびにユーザは給紙カセットを選択しなければならず、ユーザにとって煩わしい。そのため、従来の印刷装置では、特定の給紙カセットをデフォルトの給紙カセットとして選択する方法が採用されている。
【先行技術文献】
【特許文献】
【０００４】
【特許文献１】特開昭６３−１２１８６８号公報
【発明の概要】
【発明が解決しようとする課題】
【０００５】
しかしながら、特定の給紙カセットをデフォルトの給紙カセットとして選択する方法では、次のような課題が存在する。デフォルトの給紙カセットとして選択されている給紙カセットに、厚紙など特殊な用紙がセットされている場合、利用できる機能に制限がかかってしまう。例えば、厚紙の場合、両面印刷やステイプル機能などを利用することが出来ない。
また、デフォルトの給紙カセットとして選択されている給紙カセットにプレプリント用紙や封筒など特定の目的に利用される用紙がセットされている場合、ユーザが意図せずに通常のコピーで特殊紙を利用してしまうという課題もある。
さらには、デフォルト選択されている給紙カセットが、紙無しや故障などにより利用できなくなった場合は、コピージョブ実行毎に別の給紙カセットを選択しなければならず、煩わしい。
【０００６】
本発明は、上記の課題を解決するためになされたものである。本発明の目的は、特定の給紙手段に対して特殊紙が登録されることによって利便性が低下することを防ぐ仕組みを提供することである。
【課題を解決するための手段】
【０００７】
上記目的を達成する本発明の印刷装置は以下に示す構成を備える。
シートを給紙する複数の給紙手段と、いずれかの給紙手段を特定の給紙手段に設定する設定手段と、前記特定の給紙手段に収容するシート種別を指定する指定手段と、前記特定の給紙手段を使用するジョブが要求された場合、前記特定の給紙手段に収容されたシート種別が特定種別のシートであるかどうかを判断する判断手段と、前記特定の給紙手段に収容されたシート種別が特定種別のシートであると判断されることに応じて、前記特定の給紙手段を前記複数の給紙手段のうち、他の給紙手段に変更する制御手段と、を備えることを特徴とする。
【発明の効果】
【０００８】
本発明によれば、特定の給紙手段に対して特殊紙が登録されることによって利便性が低下することを防ぐことができる。
【図面の簡単な説明】
【０００９】
【図１】画像形成装置と情報処理装置とを含む印刷システムの一例を示す図である。
【図２】制御装置の詳細を説明するブロック図である。
【図３】図１に示したプリンタ装置の構成を説明する断面図である。
【図４】図１に示したプリンタ装置の構成を説明する断面図である。
【図５】操作部に表示されるＵＩ画面の一例を示す図である。
【図６】印刷装置の制御方法を説明するフローチャートである。
【図７】操作部に表示されるＵＩ画面の一例を示す図である。
【図８】印刷装置の制御方法を説明するフローチャートである。
【図９】印刷装置の制御方法を説明するフローチャートである。
【図１０】操作部に表示されるＵＩ画面の一例を示す図である。
【図１１】操作部に表示されるＵＩ画面の一例を示す図である。
【図１２】印刷装置の制御方法を説明するフローチャートである。
【図１３】操作部に表示されるＵＩ画面の一例を示す図である。ｔ
【発明を実施するための形態】
【００１０】
次に本発明を実施するための最良の形態について図面を参照して説明する。
＜システム構成の説明＞
〔第１実施形態〕
図１は、本実施形態を示す印刷装置とスキャナ装置とを備える画像形成装置と情報処理装置とを含む印刷システムの一例を示す図である。本例では、画像形成装置４００がＬＡＮ５００を介して情報処理装置（ＰＣ、ホストコンピュータとも呼ぶ）５０１、５０２からの印刷ジョブ等を含む各種のジョブ要求を実行する。
【００１１】
図１において、画像形成装置４００は、イーサネット（登録商標）等のＬＡＮ（Ｌｏｃａｌ  Ａｒｅａ  Ｎｅｔｗｏｒｋ）５００にて情報処理装置５０１、情報処理装置５０２に接続される。
【００１２】
画像形成装置４００は、画像データの読取処理を行うリーダ装置２００と、画像データの印刷処理を行うプリンタ装置１００と、を有している。また、画像形成装置４００は、入出力操作を行うキーボード、及び画像データや各種機能の表示／設定などを行う液晶パネルを備えた操作部１５０を有している。さらに、画像形成装置４００は、リーダ装置２００を制御して読み込んだ画像データやＬＡＮ５００を介して情報処理装置５０１、５０２より受信したコードデータから生成される画像データを格納／保存できるＨＤＤ１６０を有している。そして、画像形成装置４００は、これらの各構成要素を制御する制御装置（コントローラ部）３００を有している。
【００１３】
リーダ装置（スキャナ装置）２００は、原稿用紙を搬送する原稿給紙ユニット２５０と、原稿画像を光学的に読み取って電気信号としての画像データに変換するスキャナユニット２１０を有している。プリンタ装置１００は、印刷用紙を収容する給紙カセットや、画像データを印刷用紙に転写／定着するユニットなどを備えたプリンタユニット１１０と、印字された記録用紙にソート処理やステイプル処理を施すフィニッシングユニット１２０を有している。
【００１４】
図２は、図１に示した制御装置（コントローラ部）３００の詳細を説明するブロック図である。
図２において、コントローラ部３００は、自装置内部に複数のジョブのデータを記憶可能なハードディスク１６０およびＣＰＵ３１１およびＲＡＭ（主記憶装置）３１２およびＲＯＭ３１３を具備する。ＣＰＵ３１１は、ＲＯＭ３１３やハードディスク１６０に格納されているプログラムを順次ＲＡＭ３１２に読出し、実行することで後述の機能を実現する。また、画像データの読取処理を行うリーダ装置２００や、画像データの出力処理を行うプリンタ装置１００と接続し、一方ではＬＡＮ５００や公衆回線（ＷＡＮ）５５０と接続することで、コードデータ、画像データ、デバイス情報などの入出力が行われる。
【００１５】
ＣＰＵ３１１は、画像形成装置４００を統括的に制御する。ＲＡＭ３１２は、ＣＰＵ３１１が動作するためのシステムワークメモリであり、画像データを一時記憶するための画像メモリでもある。ＲＯＭ３１３は、ブートＲＯＭとして機能し、システムのブートプログラムが格納されている。ハードディスクドライブ（ＨＤＤ）１６０は、システムソフトウェアや画像データなどを格納することができる。
操作部Ｉ／Ｆ３１６は、操作部１５０とのインターフェイス部として機能し、操作部１５０に表示する画像データを操作部１５０に対して出力する。また、操作部１５０から本システムの使用者が入力した情報をＣＰＵ３１１に伝える役割を持つ。ＮＩＣ（Ｎｅｔｗｏｒｋ  Ｉｎｔｅｒｆａｃｅ  Ｃａｒｄ）３２０は、ＬＡＮ５００に接続され、ＬＡＮを介して行われる画像データや装置情報の送受信を制御する。モデム（Ｍｏｄｅｍ）３２１は、公衆回線（ＷＡＮ）５５０に接続され、公衆回線５５０を介して行われる画像データや装置情報の送受信を制御する。これらのデバイスはシステムバス３１７上に配置される。イメージバスＩ／Ｆ（Ｉｍａｇｅ  Ｂｕｓ  Ｉ／Ｆ）３１５は、システムバス３１７と画像データを高速で転送する画像バス３１８を接続し、データ構造を変換するバスブリッジである。
画像バス３１８は、ＰＣＩバスまたはＩＥＥＥ１３９４で構成される。ラスタイメージプロセッサ（ＲＩＰ）３２３で、ＰＤＬコードをビットマップイメージに展開する。画像圧縮部３２４は、多値画像データについてはＪＰＥＧの圧縮伸長処理、２値画像データについてはＪＢＩＧ、ＭＭＲ、ＭＨの圧縮伸長処理を行う。デバイスＩ／Ｆ部３２５は、画像入力装置であるリーダ装置２００、画像出力装置であるプリンタ装置１００と、コントローラ部３００に接続され、画像データの同期系／非同期系の変換を行う。画像処理部３２６は、入力画像データに対し補正、加工、編集を行う。これらのデバイスは画像バス３１８上に配置される。
このような画像形成装置４００は、例えば、リーダ装置２００を制御して原稿の画像データを読込み、読み込んだ画像データをＨＤＤ１６０に記憶し、ＨＤＤ１６０に記憶された画像データに基づいて画像を記録用紙に出力してコピージョブを実行する。また、この画像形成装置４００は、リーダ装置２００から読取った画像データをＨＤＤ１６０に記憶し、当該画像データをコードデータに変換し、ＬＡＮ５００を介して情報処理装置（ＰＣ）５０１、５０２へ送信するスキャナジョブを実行する。また、画像形成装置４００は、ＰＣからＬＡＮ５００を介して受信したコードデータをＨＤＤ１６０に記憶した後、当該コードデータを画像データに変換し、プリンタ装置１００によって当該画像データに基づく画像を記録用紙に印刷するプリントジョブを実行する。
【００１６】
図３、図４は、図１に示したプリンタ装置１００の構成を説明する断面図である。本例は、シートを給紙する手段として、給紙カセット１７−１〜１７−４を備える例を示す。  また、いずれかの給紙カセット１７−１〜１７−４を特定の給紙手段（デフォルトの給紙手段）として設定する設定する処理と、特定の給紙手段に収容するシート種別を指定する処理については後述する。また、本実施形態では、最上段の給紙カセット１７−１を特定の給紙手段として処理する例を示すが、これに限定されるものではない。
【００１７】
図３において、プリンタユニット１１０は、電子写真方式を用いたタンデム型のカラー印刷装置であり、画像形成部を形成する４つの画像形成ユニット１Ｙ，１Ｍ，１Ｃ，１Ｂｋ、中間転写ベルト８及びレーザ露光ユニット７を備える。
画像形成ユニット１Ｙは、イエローのトナー像を形成するためのユニットである。画像形成ユニット１Ｍは、マゼンタのトナー像を形成するためのユニットである。画像形成ユニット１Ｃは、シアンのトナー像を形成するためのユニットである。画像形成ユニット１Ｂｋは、ブラックのトナー像を形成するためのユニットである。各画像形成ユニット１Ｙ，１Ｍ，１Ｃ，１Ｂｋは、一定の間隔をおいて一列に配置されている。
【００１８】
各画像形成ユニット１Ｙ，１Ｍ，１Ｃ，１Ｂｋには、それぞれドラム型の電子写真感光体（以下、「感光ドラム」という。）２ａ，２ｂ，２ｃ，２ｄが配置されている。各感光ドラム２ａ，２ｂ，２ｃ，２ｄの周囲には、一次帯電器３ａ，３ｂ，３ｃ，３ｄ、現像装置４ａ，４ｂ，４ｃ，４ｄ、転写ローラ５ａ，５ｂ，５ｃ，５ｄ及びドラムクリーナ装置６ａ，６ｂ，６ｃ，６ｄがそれぞれ配置されている。
【００１９】
各感光ドラム２ａ，２ｂ，２ｃ，２ｄは、負帯電のＯＰＣ感光体で、アルミニウム製のドラム基体上に光導電層を有しており、駆動装置（不図示）によって図中矢印で示す時計回り方向に所定のプロセススピードで回転する。各感光ドラム２ａ，２ｂ，２ｃ，２ｄには、後述するレーザ露光ユニット７により、それぞれ対応する色の静電潜像が形成される。
各一次帯電器３ａ，３ｂ，３ｃ，３ｄは、帯電バイアス電源（不図示）から印加される帯電バイアスによって各感光ドラム２ａ，２ｂ，２ｃ，２ｄの表面を負極性の所定電位に均一に帯電する。
【００２０】
各現像装置４ａ，４ｂ，４ｃ，４ｄは、それぞれイエロートナー、シアントナー、マゼンタトナー、ブラックトナーを収納する。各現像装置４ａ，４ｂ，４ｃ，４ｄは、それぞれ各感光ドラム２ａ，２ｂ，２ｃ，２ｄ上に形成された各静電潜像に各色のトナーを付着させてトナー像として現像することにより可視像化する。
【００２１】
各転写ローラ５ａ，５ｂ，５ｃ，５ｄは、各一次転写部３２ａ，３２ｂ，３２ｃ，３２ｄにて中間転写ベルト８を介して各感光ドラム２ａ，２ｂ，２ｃ，２ｄに当接可能に配置されている。各転写ローラ５ａ，５ｂ，５ｃ，５ｄは、対応する感光ドラム２ａ，２ｂ，２ｃ，２ｄ上のトナー像を順に中間転写ベルト８上に重ね合わせて転写する。
【００２２】
各ドラムクリーナ装置６ａ，６ｂ，６ｃ，６ｄは、各感光ドラム２ａ，２ｂ，２ｃ，２ｄ上の一次転写時に残留した残トナーをクリーニングブレード等で掻き落として感光ドラム２ａ，２ｂ，２ｃ，２ｄの表面を清掃する。
【００２３】
中間転写ベルト８は、各感光ドラム２ａ，２ｂ，２ｃ，２ｄの図１中の上面側に、各感光ドラム２ａ，２ｂ，２ｃ，２ｄと当接可能に配置され、二次転写対向ローラ１０とテンションローラ１１との間に張架されている。また、中間転写ベルト８の感光ドラム２ａ，２ｂ，２ｃ，２ｄとの対向面側に形成された一次転写面８ｂは、二次転写対向ローラ１０側を下方にして傾斜配置されている。すなわち、中間転写ベルト８は、一次転写面８ｂを、後述する二次転写部３４側が下方となるように傾斜配置されている。この傾斜角度は、例えば、約１５°に設定される。なお、中間転写ベルト８は、ポリカーボネート、ポリエチレンテレフタレート樹脂フィルム、ポリフッ化ビニリデン樹脂フィルム等のような誘電体樹脂によって構成される。
二次転写対向ローラ１０は、中間転写ベルト８を駆動するための駆動ローラであり、二次転写部３４において、中間転写ベルト８を介して二次転写ローラ１２と当接可能に配置されている。
【００２４】
テンションローラ１１は、二次転写対向ローラ１０の一次転写部３２ａ，３２ｂ，３２ｃ，３２ｄを挟んだ対向側に配置され、中間転写ベルト８に張力を付与する。テンションローラ１１の近傍であって無端状の中間転写ベルト８の外側には、中間転写ベルト８の表面に残った残トナーを除去して回収するベルトクリーニング装置１３が設置されている。
【００２５】
レーザ露光ユニット７は、各画像形成ユニット１Ｙ，１Ｍ，１Ｃ，１Ｂｋの図１中の下方に配置される。レーザ露光ユニット７は、与えられる画像情報の時系列電気デジタル画素信号に対応した発光を行うレーザ発光手段、ポリゴンレンズ、反射ミラー等で構成される。レーザ露光ユニット７は、各感光ドラム２ａ，２ｂ，２ｃ，２ｄを露光することによって、各一次帯電器３ａ，３ｂ，３ｃ，３ｄによって帯電された各感光ドラム２ａ，２ｂ，２ｃ，２ｄの表面に、画像情報に応じた各色に対応した静電潜像を形成する。
【００２６】
また、プリンタユニット１１０は、給紙カセット１７−１〜１７−４、手差しトレイ２０、レジストローラ１９、定着ユニット１６、排出・反転ローラ２１、両面ローラ４０，４１、片面搬送路４３及び両面搬送路４４を備える。
【００２７】
給紙カセット１７には、所定サイズの用紙Ｐが収納される。また、手差しトレイ２０には、所定サイズの用紙Ｐが積載される。給紙カセット１７に収納された用紙Ｐまたは手差しトレイ２０に積載された用紙Ｐは、１枚ずつ、給紙経路１８を介してレジストローラ１９に供給される。なお、ＣＰＵ３１１は、給紙カセット１７−１〜１７−４、手差しトレイ２０のそれぞれに保持された用紙のサイズと種類を示す情報をＨＤＤ１６０に記憶して管理する。ＣＰＵ３１１は、操作部１５０に表示される画面を介して、給紙カセットごとの用紙の種類を示す情報を受け付け、元々記憶されていた情報を、新たに受け付けた情報に更新する。具体的に、図１０、図１１は、操作部１５０に表示されるＵＩ画面の一例を示す図である。本例は、用紙の種類の変更ダイアログの一例である。
ユーザは、給紙カセットに設定されている用紙の種類を変更する場合は、対象となる給紙カセット１７−１〜１７−４に対応するボタン１００１〜１００４のいずれかのボタンを押下して選択する。そして、ユーザが上記ボタンの選択後、さらにＯＫボタン１００５を押下すると、図１１に示すダイアログに画面が遷移する。
図１１に示すＵＩ画面例は、用紙の種類を選択するためのダイアログ例である。ここで、ユーザは、変更したい用紙の種類を表すボタン１１０１〜１１０６のボタンのいずれかを押下し、ＯＫボタン１１０７を押下すると給紙カセットに対応付けて用紙の種類がＨＤＤ１６０に記憶される。なお、図１１に示す用紙の種類は一例として６種類示したものであるが、より多くの種類の用紙の種類が表示されていてもよい。それによって、ＣＰＵ３１１は、給紙カセット１７−１〜１７−４、手差しトレイ２０のそれぞれにどのような種類の用紙が保持されているかを把握する。用紙のサイズについても、図１０に示す画面で選択された給紙カセットについて、不図示のサイズ選択画面で受け付けたサイズ（Ａ４、Ｂ５、Ａ４等）を、その給紙カセットに対応付けてＨＤＤ１６０に記憶すればよい。また、給紙カセット１７−１〜１７−４がそれぞれの給紙カセットに収納されたシートのサイズを検知するサイズ検知センサを有し、ＣＰＵ３１１が、そのサイズ検知センサからの信号に基づいて給紙カセット内のサイズを把握するようにしてもよい。
レジストローラ１９は、用紙Ｐの斜行を補正し、斜行を補正した後の用紙Ｐを、上述の二次転写部３４における画像形成タイミングに合わせて二次転写部３４に向けて給送する。
【００２８】
定着ユニット１６は、定着ローラ１６ａ、加圧ローラ１６ｂ、定着ローラ１６ａと加圧ローラ１６ｂの間の定着ニップ部（不図示）を有し、用紙Ｐの搬送方向における二次転写部３４の下流側に縦パス構成で配置されている。定着ローラ１６ａには、用紙Ｐを加熱するためのセラミックヒータなどのヒータが内蔵されており、加圧ローラ１６ｂは、定着ローラ１６ａに対して所定の押圧力で押し付けられる。
【００２９】
排出部及び反転部を兼ねる排出・反転ローラ２１は、用紙Ｐの搬送方向における定着ユニット１６の下流側に配置されている。排出・反転ローラ２１は、正転及び逆転可能であり、正転して定着ユニット１６から搬送された用紙Ｐを排紙トレイ２２上に排紙し、または反転して両面ローラ４０に向けて搬送する。両面ローラ４０は排出・反転ローラ２１から搬送された用紙Ｐを両面ローラ４１に向けて搬送し、両面ローラ４１は両面ローラ４０から搬送された用紙Ｐをレジストローラ１９に向けて搬送する。
【００３０】
片面搬送路４３は、用紙Ｐがレジストローラ１９から二次転写部３４に給送される際の用紙Ｐの通路である給送路と、二次転写部３４から定着ユニット１６を介して排出・反転ローラ２１に搬送される際の用紙Ｐの通路である搬送路とからなる。両面搬送路４４は、排出・反転ローラ２１で反転された用紙Ｐが各両面ローラ４０，４１を介してレジストローラ１９に搬送されるまでの用紙Ｐの通路である。また、片面搬送路４３と両面搬送路４４との各端部はそれぞれ連結しており、１つの環状搬送路を形成している。片面搬送路４３には、片面搬送路４３に残留する用紙Ｐの有無を検知する排紙センサ５３、定着ループセンサ５４、レジセンサ５５が配置される。
【００３１】
また、図４に示すように、排出・反転ローラ２１、定着ローラ１６ａ及び加圧ローラ１６ｂは定着モータ５０に接続される。レジストローラ１９及び両面ローラ４０，４１は給紙モータ５１に接続される。二次転写対向ローラ１０は、ドラムモータ５２に接続される。
定着モータ５０は、用紙Ｐが定着ユニット１６から装置外に向けて送り出されるように、排出・反転ローラ２１、定着ローラ１６ａ及び加圧ローラ１６ｂを用紙排出方向に回転させる。また、定着モータ５０は、用紙Ｐが排出・反転ローラ２１から両面ローラ４０に向けて送り出されるように、排出・反転ローラ２１を用紙反転方向に回転駆動する。
給紙モータ５１は、排出・反転ローラ２１で反転された用紙Ｐが二次転写部３４に向けて送り出されるように、レジストローラ１９及び両面ローラ４０，４１を用紙搬送方向に回転させる。ドラムモータ５２は、二次転写部３４に給送された用紙Ｐが定着ユニット１６に向けて送り出されるように、二次転写対向ローラ１０を回転させる。
【００３２】
ここで、図４において、用紙排出方向とは、排出・反転ローラ２１が矢印方向に回転する方向であり、用紙反転方向とは、排出・反転ローラ２１が矢印に反対する方向に回転する方向である。また、用紙搬送方向とは、レジストローラ１９及び両面ローラ４０，４１が矢印方向に回転する方向である。なお、本プリンタユニット１１０は、排出・反転ローラ２１と両面ローラ４０，４１とに跨って用紙Ｐが残留している状態でも、給紙モータ５１が両面ローラ４０，４１を回転できるようにすることで用紙Ｐを引き抜くことが可能な構成となっている。
【００３３】
図５は、図２に示した操作部１５０に表示されるＵＩ画面の一例を示す図である。以下、図５を用いてデフォルトの給紙カセットを選択する処理について説明する。なお、本実施形態では、ジョブの種別（本実施形態では、コピージョブ）に応じて特定の給紙カセットを自動選択する選択する例を説明する。
スキャナに原稿サイズ検知機能を持たない印刷装置の場合、自動用紙選択機能が利用できないため、ユーザは、コピージョブの実行前に給紙カセットを選択する必要がある。しかしながら、コピージョブを実行するたびに給紙カセットを選択しなければならないのは、ユーザにとって煩わしい。そのため、本実施形態では、予めデフォルトの給紙カセットを設定しておく。そして、コピージョブの実行前にユーザによって給紙元の給紙カセットが指定されていなければ、予め決められているデフォルトの給紙カセットを給紙元として設定し、当該給紙カセットから用紙を給紙して、コピージョブの印刷が実行される。それによって、ユーザが、コピージョブを実行するたびに、給紙カセットを指定しなくてはならない手間を省くことができる。また、二次転写対向ローラ１０とテンションローラ１１までの用紙の搬送パスが一番短い給紙カセットをデフォルトの給紙カセットとして選択しておくと、印刷が完了するまでの時間を短くすることができる。このデフォルトの給紙カセットは、ユーザモードキー等が押下された後、予め図５に示す画面を操作部１５０に表示させ、ユーザが選択するものである。なお、図５の例ではカセット１７−１が選択されており、この状態でＯＫボタンが押されると、給紙カセット１７−１がデフォルトの給紙カセットとして設定される。そして、デフォルト給紙カセットとして予め設定された給紙カセットはＲＡＭ３１２に保存され、ＣＰＵ３１１によって参照される。例えば、画像形成装置４００の起動時や、操作部１５０が有するリセットキーの押下を受け付けた時に、ＣＰＵ３１１は、ＲＡＭ３１２に保存されたデフォルトの給紙カセットを読み出して、給紙元として設定する。
【００３４】
しかしながら、デフォルトの給紙カセットとして設定される給紙カセットに、厚紙など特殊な種類の用紙が収納されている場合、ユーザが利用できる機能が制限される。例えば、デフォルトの給紙カセットに厚紙が収納されており、ユーザが両面印刷をコピージョブの設定として指定した場合に、厚紙は両面搬送パスを通せないため、両面印刷を実行できない。また、デフォルトの給紙カセットに厚紙が収納されており、ユーザがステイプルをコピージョブの設定として指定した場合に、厚紙はステイプルできない。そのため、ユーザは、両面印刷やステイプルを実行するたびに、デフォルトの給紙カセットとして設定された給紙カセットとは異なる給紙カセットを指定しなければならないので、ユーザに指定のための負担がかかる。
また、デフォルトの給紙カセットに、プレプリント用紙や封筒など特定の目的に利用される用紙がセットされており、ユーザがそのことに気付かずに、コピージョブを実行してしまった場合、ユーザの意図に反して、特殊紙が利用されてしまう恐れがある。さらには、デフォルトの給紙カセットとして選択されている給紙カセットが、紙無しや故障などにより利用できなくなった場合、結局、ユーザはコピージョブを実行するたびに、別の給紙カセットを選択しなければならず、煩わしい。以降の説明でこれら問題を解決する方法について説明する。
【００３５】
図６は、本実施形態を示す印刷装置の制御方法を説明するフローチャートである。本例は、コピージョブ実行時に条件に応じてデフォルト給紙カセットを変更する例である。なお、各ステップに対応するプログラムはコントローラ部３００のＣＰＵ３１１が、ＲＯＭ３１３やＨＤＤ１６０に格納されているプログラムを順次ＲＡＭ３１２に読出し、実行することで制御される。以下、コピージョブ実行時に条件に応じてデフォルト給紙カセットを変更する制御を説明する。なお、フローチャートは、図６の（Ａ）に示し、参照するテーブルは、図６の（Ｂ）に示す。以下、特定の給紙手段を使用するジョブが要求された場合、特定の給紙手段に収容されたシート種別が特定種別のシートであるかどうかを判断されることに応じて、特定の給紙手段を複数の給紙手段のうち、残る他の１つの給紙手段に変更する制御について説明する。また、ジョブの種別については、ユーザが指定したジョブ種とする。
【００３６】
まず、Ｓ６０１で、ＣＰＵ３１１は、コピージョブを開始する。具体的に、ＣＰＵ３１１は、リーダ装置２００に原稿を読み取るよう指示する。リーダ装置２００は、リーダ装置に設けられた自動原稿搬送装置（ＡＤＦ）上にセットされた原稿を１枚ずつ搬送し、搬送された原稿を読み取る。自動原稿搬送装置上に原稿がなく、原稿台に原稿がセットされている場合、リーダ装置２００は、原稿台に載置された原稿を、光学走査ユニットを移動走査して、当該原稿を読み取る。
続いて、Ｓ６０２で、ＣＰＵ３１１は、現在デフォルト給紙カセットとして設定されている給紙カセット（例えば、給紙カセット１７−１）に特殊紙がセットされているかの判定を行う。当該判定は、ＣＰＵ３１１がＨＤＤ１６０に格納されている現在のデフォルト給紙カセットにセットされている用紙の種類を読み出し、図６の（Ｂ）に示す特殊紙一覧リストと比較を行うことで行われる。ここで、特殊紙とは、画像形成装置４００の機能に何らかの制限が掛かってしまう用紙のことである。
【００３７】
本実施形態における特殊紙には、図６（Ｂ）に示すように、厚紙、フィルムシート、封筒、プレプリントシート、タブシート、半透明シートがある。ここで、半透明シートとは、第２原図とよばれるシートに対応する。フィルムシートの一例として、ＯＨＰフィルムを挙げて説明する。
Ｓ６０２の判定の結果、現在デフォルト給紙カセットとして設定されている給紙カセットに特殊紙がセットされていないとＣＰＵ３１１が判定した場合、Ｓ６０４に進む。続いて、Ｓ６０４では、ＣＰＵ３１１は選択されているデフォルト給紙カセットにトラブルが発生していないかのチェックを行う。ここで、トラブルとは、紙無しや故障などの理由により正常に給紙出来ない状態のことである。当該Ｓ６０４の判定の結果、トラブルが発生していないとＣＰＵ３１１が判断した場合は、Ｓ６０５に進む。
Ｓ６０５では、ＣＰＵ３１１は、デフォルト給紙カセットの変更処理を実行せず、本処理を終了する。これにより、Ｓ６０５移行の処理では、現在デフォルト給紙カセットとして設定されている給紙カセット（給紙カセット１７−１）がそのままコピージョブの印刷の給紙元として利用される。つまり、ＣＰＵ３１１は、デフォルト給紙カセットとして設定されている給紙カセットから用紙を給紙し、当該用紙に画像を印刷するようプリンタ部１００を制御する。コピージョブの実行が完了した後、本処理を終了する。
【００３８】
一方、Ｓ６０４の判断の結果、トラブルが発生しているとＣＰＵ３１１が判断した場合は、後述するサブルーチンＳ６０６に進み、ＣＰＵ３１１は、デフォルト給紙カセットの変更処理を行う。そして、ＣＰＵ３１１は、変更処理の後に設定されている給紙カセットを給紙元としてコピージョブを実行する。つまり、ＣＰＵ３１１は、Ｓ６０６の処理によって変更された後の給紙カセットから用紙を給紙し、当該用紙に画像を印刷するようプリンタ部１００を制御する。コピージョブの実行が完了した後、本処理を終了する。なお、サブルーチンＳ６０６の詳細については、図９を用いて説明する。
一方、Ｓ６０２の判定で、特殊紙がセットされているとＣＰＵ３１１が判断した場合の処理について説明する。
特殊紙がセットされているとＣＰＵ３１１が判断した場合は、Ｓ６０３に進み、特殊紙許可モードが予め設定されているかの判定を行う。ここで、特殊紙許可モードとは、デフォルト給紙カセット（給紙カセット１７−１）に特殊紙をセットしたいユーザが利用するためのモードである。
特殊紙許可モードの設定は、図７に示すＵＩ画面に表示される特殊紙許可モード設定ボタンにより行われる。
【００３９】
図７に示す画面は、操作部１５０の特殊紙許可モード設定ボタンが押された際に表示される画面である。図７において、デフォルト給紙カセットに特殊紙をセットして印刷を開始することを禁止する場合、ユーザは、ボタン７０１を押下し、ボタン７０１が選択された状態でＯＫボタンを押す。一方、デフォルト給紙カセットに特殊紙をセットして印刷を開始することを許可する場合、ユーザは、ボタン７０２を押下し、ボタン７０２が選択された状態でＯＫボタンを押す。ボタン７０１またはボタン７０２を介して設定された内容はＨＤＤ１６０に記憶され、ＣＰＵ３１１によって適宜参照される。なお、ここでは、図６に示す処理が実行される前に予め特殊紙許可モードを設定しておく例について説明したが、Ｓ６０２で、デフォルトの給紙カセットに特殊紙がセットされていると判断したことに応じて、ユーザによって設定されるようにしてもよい。
【００４０】
図８は、本実施形態を示す印刷装置の制御方法を説明するフローチャートである。本例は、特殊紙許可モード設定処理例である。なお、各ステップに対応するプログラムはコントローラ部３００のＣＰＵ３１１が、ＲＯＭ３１３やＨＤＤ１６０に格納されているプログラムを順次ＲＡＭ３１２に読出し、実行することで制御される。
【００４１】
まず、Ｓ８０１で、ＣＰＵ３１１は、操作部１５０の特殊紙許可モード設定ボタンが押されると、ユーザがデフォルト給紙カセットの特殊紙許可モードの設定を開始する。設定を開始すると、ＣＰＵ３１１は、図７に示すダイアログを操作部１５０に表示する。Ｓ８０２では、ＣＰＵ３１１は、ユーザがどちらのモードを選択するかを待つ。ここで、ユーザがボタン７０１が押下したとＣＰＵ３１１が判断した場合は、Ｓ８０３に進み、ＣＰＵ３１１は、デフォルト給紙カセットに特殊紙をセットして印刷を開始することを禁止することを示す情報をＨＤＤ１６０に記憶する。
【００４２】
一方、ボタン７０２が選択されたとＣＰＵ３１１が判断した場合は、Ｓ８０４に進み、ＣＰＵ３１１は、デフォルト給紙カセットに特殊紙をセットして印刷を開始することを許可することを示す情報をＨＤＤ１６０に記憶する。
このようにして、特殊紙許可モードのオンオフが設定される。
図６の説明に戻る。次に、Ｓ６０３で、特殊紙セットが許可されていないとＣＰＵ３１１が判別した場合は、サブルーチンＳ６０６に進む。サブルーチンＳ６０６の詳細については、図９を用いて説明する。
【００４３】
Ｓ６０３で、特殊紙のセットが許可されているとＣＰＵ３１１が判別した場合は、Ｓ６０７に進む。Ｓ６０７で、ＣＰＵ３１１は、デフォルト給紙カセットの変更は行わず、デフォルト給紙カセットを、コピージョブいの給紙元としてコピージョブを実行する。つまり、ＣＰＵ３１１は、デフォルト給紙カセットとして設定されている給紙カセットから用紙を給紙し、当該用紙に画像を印刷するようプリンタ部１００を制御する。コピージョブの実行が完了した後、本処理を終了する。これにより、現在、デフォルト給紙カセットとして選択されている給紙カセットが利用される。
【００４４】
図９は、本実施形態を示す印刷装置の制御方法を説明するフローチャートである。本例は、図６に示したＳ６０６に示した他のカセットを検索して設定する処理の詳細フローに対応する。なお、各ステップに対応するプログラムはコントローラ部３００のＣＰＵ３１１が、ＲＯＭ３１３やＨＤＤ１６０に格納されているプログラムを順次ＲＡＭ３１２に読出し、実行することで制御される。なお、本実施形態では、デフォルトの給紙カセット（特定のシートを収容する給紙カセット）として、給紙元は、シートを画像形成部に搬送するための搬送路長が短い給紙カセットから優先して選択されるものとする。
【００４５】
まず、Ｓ９０１で、ＣＰＵ３１１は、システム上に存在するデフォルトの給紙カセットとして選択されていない給紙カセットを検索する。本実施形態の例では、給紙カセット１７−２〜１７−４が見つかる。続いて、Ｓ９０２では、ＣＰＵ３１１は、Ｓ９０１の検索で見つかった給紙カセットそれぞれについて、特殊紙がセットされているかどうかの判定を行う。ここで、特殊紙かどうかの判定は、それぞれの給紙カセットにセットされている用紙の種類をＨＤＤ１６０から読み出し、読み出された用紙の種類と図６の（Ｂ）に示す特殊紙一覧リストと比較することにより行う。
Ｓ９０２の判定の結果、特殊紙がセットされていない給紙カセットが一つも存在しないとＣＰＵ３１１が判断した場合、Ｓ９０５に進む。
Ｓ９０５では、デフォルト給紙カセットの変更は行わずにサブルーチンＳ６０６を終了する。
【００４６】
一方、Ｓ９０２の判定の結果、特殊紙がセットされていない給紙カセットが見つかったとＣＰＵ３１１が判断した場合は、Ｓ９０３に進む。
Ｓ９０３では、ＣＰＵ３１１は、Ｓ９０２で見つかった給紙カセットそれぞれについて、トラブルが発生していないかの判定を行う。トラブルの判定方法についてはＳ６０４と同様であるためここでは説明を省略する。Ｓ９０３の判定の結果、トラブルが発生していない給紙カセットが一つも存在しないかどうかを判断する。ここで、トラブルが発生していない給紙カセットが一つも存在しないとＣＰＵ３１１が判断した場合、Ｓ９０５に進む。
【００４７】
一方、Ｓ９０３の判定の結果、トラブルが発生していない給紙カセットが見つかったとＣＰＵ３１１が判断した場合、Ｓ９０４に進む。Ｓ９０４では、ＣＰＵ３１１は、Ｓ９０２およびＳ９０３の判定の結果、見つかった給紙カセットのうち、二次転写対向ローラ１０とテンションローラ１１までの用紙搬送パスが最も短い給紙カセットをデフォルト給紙カセットとして選択する。そして、ＣＰＵ３１１は、選択した給紙カセットがデフォルト給紙カセットであることを示す情報をＨＤＤ１６０に保存して、本処理を終了する。以上、図６から図９を用いて、コピージョブ実行時に条件に応じてデフォルト給紙カセットを変更する方法についての説明を終了する。
【００４８】
〔第２実施形態〕
本実施形態では、デフォルト給紙カセットとして設定されている給紙カセットに特殊紙が収納されている場合に、給紙カセットにセットされている用紙の種類をユーザに変更するよう要求する方法について説明する。なお、画像形成装置４００の構成は、第１の実施形態と同様であるため、詳しい説明を省略する。
図１０、図１１は、上述したように、図２に示した操作部１５０に表示されるＵＩ画面の一例を示す図である。
【００４９】
図１２は、本実施形態を示す印刷装置の制御方法を説明するフローチャートである。本例は、給紙カセットの用紙タイプ変更する処理例である。なお、各ステップに対応するプログラムはコントローラ部３００のＣＰＵ３１１が、ＲＯＭ３１３やＨＤＤ１６０に格納されているプログラムを順次ＲＡＭ３１２に読出し、実行することで制御される。以下、特定の給紙手段に設定すべきシート種別が特定のシートであると判定されることに応じて、当該設定すべきシート種別を表示して確定の可否を表示部に警告する例を説明する。
【００５０】
まず、Ｓ１２０１で、ＣＰＵ３１１は、図１０に示す画面を表示し、用紙の種類を設定するための処理を開始する。ＣＰＵ３１１は、図１０に示す画面を介して給紙カセット１７−１〜１７−４のうち、いずれかの給紙カセットが選択され、ＯＫボタン１００５が押されると、図１１に示す画面を表示する。図１１に示す画面を介してユーザは、図１０に示す画面で選択した給紙カセットに収納する用紙の種類を変更する。続いて、Ｓ１２０２で、ＣＰＵ３１１は、給紙カセット１７−１〜１７−４のうち、デフォルト給紙カセットとして予め登録されている給紙カセットに対する用紙の種類が変更されたか否かを判定する。Ｓ１２０２の判定は、図１１に示す画面のＯＫボタン１１０７が押下されたタイミングで行われる。具体的に、ＣＰＵ３１１は、ＨＤＤ１６０にデフォルト給紙カセットとして登録されている給紙カセットと、図１１に示す画面で用紙の種類を変更するための要求を受け付けた給紙カセットが同じであるかの判定を行う。ここで、同じではないとＣＰＵ３１１が判断した場合は、Ｓ１２０４に進む。
Ｓ１２０４で、ＣＰＵ３１１は、図１０で選択された給紙カセットに、当該給紙カセットに収納された用紙の種類が、図１１で選択された用紙の種類であることを示す情報をＨＤＤ１６０に記憶する。そして、本処理を終了する。
【００５１】
一方、Ｓ１２０２の判定の結果、デフォルト給紙カセットとして予め登録されている給紙カセットに対する変更であるとＣＰＵ３１１が判断した場合は、Ｓ１２０３に進む。
Ｓ１２０３で、ＣＰＵ３１１は、図１１に示す画面で選択された用紙の種類が特殊紙であるか否かを判定する。ここでの判定は、図１１に示すＵＩ画面において、ユーザが選択した用紙の種類と、図６の（Ｂ）に示した特殊紙一覧リストを比較することにより行う。
Ｓ１２０３の判定の結果、特殊紙ではないとＣＰＵ３１１が判断した場合は、Ｓ１２０４に進む。Ｓ１２０３の判定の結果、特殊紙であるとＣＰＵ３１１が判断した場合は、Ｓ１２０５に進む。
Ｓ１２０５では、ＣＰＵ３１１が図１３に示す画面（警告ダイアログに対応する）を操作部１５０に表示する。この画面は、ユーザに、デフォルト給紙カセットとして登録されている給紙カセットに、特殊な用紙をセットしていいかどうかを確認するための画面である。続いて、Ｓ１２０６で、ＣＰＵ３１１は、図１３に示した画面における警告ダイアログに対するユーザの指示がキャンセルボタン１３０２であるか、続行ボタン１３０１であるかを判断する。
【００５２】
ここで、ユーザが、続行ボタン１３０１を押下したとＣＰＵ３１１が判断した場合は、Ｓ１２０７に進む。Ｓ１２０７で、ＣＰＵ３１１は、デフォルト給紙カセットとして予め登録されている給紙カセットに対して、図１１に示す画面で選択された特殊紙が収納されていることを示す情報をＨＤＤ１６０に設定し、本処理を終了する。
一方、ユーザがキャンセルボタン１３０２を押下したとＣＰＵ３１１が判断した場合は、Ｓ１２０８に進む。Ｓ１２０８で、ＣＰＵ３１１は、用紙の種類の設定を行わず、キャンセルする。つまり、この場合、デフォルト給紙カセットとして予め登録されている給紙カセットに対して、図１１に示す画面で選択された特殊紙が収納されていることを示す情報は対応付けて記憶されない。そして、デフォルト給紙カセットとして予め登録されている給紙カセットに対して、以前に記憶された用紙の種類の情報がそのまま残る。本処理を終了する。
なお、本発明を具体的な実施形態に則して説明したが、本発明は上述の実施形態に限定されるものではない。
例えば、上述した実施形態では、コピージョブの開始後に、デフォルト給紙カセットに特殊紙が収納されているか否かを判定する例を説明したが本発明はこれに限られない。例えば、コピージョブの開始前に、デフォルト給紙カセットを設定する段階で、ユーザによってデフォルト給紙カセットにするよう要求された給紙カセットに特殊紙が登録されているか否かを判定し、特殊紙が登録されていると判定した場合に警告してもよい。その場合、ユーザに、デフォルト給紙カセットとして、特殊紙が収納されていない他の給紙カセットを選択するよう要求すればよい。一方、ユーザによってデフォルト給紙カセットにするよう要求された給紙カセットに特殊紙以外の種類の用紙が登録されていると判定した場合、要求された給紙カセットを、デフォルト給紙カセットとして設定すればよい。
上述した実施形態では、画像形成装置４００が、操作部１５０を介して用紙の種類の変更を受け付ける場合の例を説明したが、本発明は、画像形成装置４００が、外部のＰＣ５０１、またはＰＣ５０２を介して変更を受け付ける場合に適用してもよい。
その場合、上述した画面をＰＣ５０１や、ＰＣ５０２が備える表示部に表示し、ＰＣ５０１やＰＣ５０２が備える操作部を介してユーザの指示を受け付ければよい。
【００５３】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５４】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５５】
１００  プリンタ装置
１１０  プリンタユニット
１２０  フィニッシングユニット
１５０  操作部
１６０  ＨＤＤ
【図１】
2014226873.tif 000003
【図２】
2014226873.tif 000004
【図３】
2014226873.tif 000005
【図４】
2014226873.tif 000006
【図５】
2014226873.tif 000007
【図６】
2014226873.tif 000008
【図７】
2014226873.tif 000009
【図８】
2014226873.tif 000010
【図９】
2014226873.tif 000011
【図１０】
2014226873.tif 000012
【図１１】
2014226873.tif 000013
【図１２】
2014226873.tif 000014
【図１３】
2014226873.tif 000015